(57)【要約】【課題】遊技盤を収納する遊技主体構造体の裏面に設けた制御装置に対する不正防止を図る。【解決手段】係合部１８が被係合部２ｄに係合して、発射払出制御装置１が遊技主体収納構造体５６に取り付けられた場合、係合部１８と被係合部２ｄとの左右方向で前後方向に重ね合わされた寸法Ｌ１が、可動枠５３が固定枠５１に閉じられて図９に示すロック機構６３で開閉不能に支持された場合における発射払出制御装置１と固定枠５１との間の寸法Ｌ２よりも大きな寸法に設定されるので、遊技主体収納構造体５６を有する可動枠５３が固定枠５２にロック機構６３によって開閉不能に支持されることによって、発射払出制御装置１が右側から左側に直線的に移動されて固定枠５１の左側部に接触しても、係合部１８と被係合部２ｄとによる前後方向へ抜けないように係合が維持される。【選択図】図１
2006014805.tif 000002
【特許請求の範囲】
【請求項１】
遊技機枠がパチンコ店の遊技機設置構造体に取り付けられる固定枠と固定枠にヒンジで前側横方向に片開き可能に取り付けられた可動枠とを備え、固定枠と可動枠とが遊技機枠の前側から操作される施錠装置によって解除動作可能なロック機構によって開閉不能に支持され、可動枠が遊技盤を前側から収納する遊技主体収納構造体を備え、遊技主体収納構造体の裏面に制御装置が設けられたパチンコ機の遊技機枠において、制御装置が制御に必要な複数の電気部品の実装された板状の方形な回路基板を複数のケースからなる制御筐体の内部に格納した後に止ねじを前側に位置するケースから後側に位置するケースに締結して制御筐体を封緘した構造であり、制御筐体の前面に係合部が設けられ、遊技主体収納構造体の裏面には被係合部を有する取付台が設けられ、制御筐体の係合部が取付台の裏側から被係合部に挿入されて制御装置が直線的に左右方向の一方向に横移動されて係合部と被係合部とが互いに係合して取付台に取り付けられ、この係合された係合部と被係合部とにおける左右方向で前後方向に重ね合わされた寸法が、遊技主体収納構造体を有する可動枠が固定枠に閉じられてロック機構で開閉不能に支持された場合における制御装置と固定枠の側部との間の寸法よりも大きな寸法に設定されたことを特徴とするパチンコ機の遊技機枠。
【請求項２】
制御筐体を構成する複数のケースが、係合部の設けられた前ケースと、前ケースの係合部を作るための残渣孔を塞ぐ中ケースと、回路基板に実装された電気部品を覆う空間部を備えた後ケースとを備え、中ケースと後ケースとの間に回路基板を配置し、止ねじが前ケースの前側から前ケースおよび中ケースを経由して後ケースに締結され、制御筐体が取付台に係合部と被係合部との係合で取り付けられた場合、取付台で覆い隠されたことを特徴とする請求項１記載のパチンコ機の遊技機枠。
【発明の詳細な説明】
【技術分野】
【０００１】
本発明は、遊技盤を収納する遊技主体構造体の裏面に設けた制御装置に対する不正を防止することができるパチンコ機の遊技機枠に関する。
【背景技術】
【０００２】
パチンコ機の遊技機枠には、パチンコ機の裏面に配置される機構板の裏面に、複数の制御基板が上から下に順位に取り付けられ、これらの制御基板を個別に覆う複数のカバーが機構板に上下方向にスライド係合することによって取り付けられ、直後に取り付けられたカバーが直前に取り付けられたカバーの取り外しを不能とする干渉部材として機能するように、複数のカバーがそれらの取付順序を定められて機構板の裏面に取り付けられることが公知となっている。しかしながら、パチンコ機の裏側において、最後に取り付けられたカバーを取り外せる構造であるので、最後に取り付けられたカバーを取り外し、取付順序と逆の操作で全部のカバーを取り外し、制御基板に搭載されたＲＯＭを不正ＲＯＭに交換するような不正行為が行えるという欠点がある。
【特許文献１】特開２００１−１７０３２８号公報
【発明の開示】
【発明が解決しようとする課題】
【０００３】
発明が解決しようとする問題点は、パチンコ機の裏側において、最後に取り付けられたカバーを取り外し、取付順序と逆の操作で全部のカバーを取り外し、制御基板に搭載されたＲＯＭを不正ＲＯＭに交換するような不正行為が行えるという点である。
【課題を解決するための手段】
【０００４】
本発明に係るパチンコ機の遊技機枠は、遊技機枠がパチンコ店の遊技機設置構造体に取り付けられる固定枠と固定枠にヒンジで前側横方向に片開き可能に取り付けられた可動枠とを備え、固定枠と可動枠とが遊技機枠の前側から操作される施錠装置によって解除動作可能なロック機構によって開閉不能に支持され、可動枠が遊技盤を前側から収納する遊技主体収納構造体を備え、遊技主体収納構造体の裏面に制御装置が設けられたパチンコ機の遊技機枠において、制御装置が制御に必要な複数の電気部品の実装された板状の方形な回路基板を複数のケースからなる制御筐体の内部に格納した後に止ねじを前側に位置するケースから後側に位置するケースに締結して制御筐体を封緘した構造であり、制御筐体の前面に係合部が設けられ、遊技主体収納構造体の裏面には被係合部を有する取付台が設けられ、制御筐体の係合部が取付台の裏側から被係合部に挿入されて制御装置が直線的に左右方向の一方向に横移動されて係合部と被係合部とが互いに係合して取付台に取り付けられ、この係合された係合部と被係合部とにおける左右方向で前後方向に重ね合わされた寸法が、遊技主体収納構造体を有する可動枠が固定枠に閉じられてロック機構で開閉不能に支持された場合における制御装置と固定枠の側部との間の寸法よりも大きな寸法に設定されたことを最も主要な特徴とする。本発明に係るパチンコ機の遊技機枠は、制御筐体を構成する複数のケースが、係合部の設けられた前ケースと、前ケースの係合部を作るための残渣孔を塞ぐ中ケースと、回路基板に実装された電気部品を覆う空間部を備えた後ケースとを備え、中ケースと後ケースとの間に回路基板を配置し、止ねじが前ケースの前側から前ケースおよび中ケースを経由して後ケースに締結され、制御筐体が取付台に係合部と被係合部との係合で取り付けられた場合、取付台で覆い隠されたことも特徴とする。
【発明の効果】
【０００５】
本発明に係るパチンコ機の遊技機枠は、挿入されて制御装置が直線的に左右方向の一方向に横移動されて係合部と被係合部とが互いに係合して取付台に取り付けられた場合における係合部と被係合部との左右方向で前後方向に重ね合わされた寸法が、遊技主体収納構造体を有する可動枠が固定枠に閉じられてロック機構で開閉不能に支持された場合における制御装置と固定枠の側部との間の寸法よりも大きな寸法に設定されているので、制御装置の係合部が遊技主体収納構造体に取り付けられた取付台の被係合部に嵌めこまれて左右方向の一方向に直線的に移動され、係合部と被係合部とが前後方向に抜けないように係合して、制御装置が遊技主体収納構造体に取り付けられた後、遊技主体収納構造体を有する可動枠が固定枠にロック機構によって開閉不能に支持されることによって、制御装置が左右方向の上記一方向と逆の他方向に直線的に移動されて固定枠に接触しても、係合部と被係合部とによる前後方向へ抜けないような係合が維持されよって、可動枠が固定枠にロック機構によって開閉不能に支持された場合、施錠装置による操作でロック機構を解除しない限り、可動枠の裏側から制御装置を取り外すことができず、制御装置に対する不正防止を向上することができるという利点がある。制御筐体を構成する複数のケースが、係合部の設けられた前ケースと、前ケースの係合部を作るための残渣孔を塞ぐ中ケースと、回路基板に実装された電気部品を覆う空間部を備えた後ケースとを備え、中ケースと後ケースとの間に回路基板を配置し、止ねじが前ケースの前側から前ケースおよび中ケースを経由して後ケースに締結され、制御筐体が取付台に係合部と被係合部との係合で取り付けられた場合に取付台で覆い隠されれば、制御装置が取付台に取り付けられた状態においては、止ねじを制御筐体から取り外すことができず、制御筐体を不正に開くこともできないという利点がある。
【発明を実施するための最良の形態】
【０００６】
図１−図１１は、発明を実施するための最良の形態である。図１は、発射払出制御装置１の周りにおける遊技機枠５１を横に切断した断面を示す。図２は、発射払出制御装置１、取付台２、配線構造体３を分解して示す。図３は、発射払出制御装置１を組み立てて横に切断した断面を示す。図４は、発射払出制御装置１を止ねじ４１で結合した部分を横に切断した断面を示す。図５は、取付台２と配線構造体３とを互いに組み立てて横に切断した断面を示す。図６は、配線構造体３の取り付けられた取付台２を遊技主体収納構造体５６に取り付けて横に切断した断面を示す。図７は、発射払出制御装置１を遊技主体収納構造体５６に組み付けられた取付台２に取り付ける工程を示す。図８は、遊技主体収納構造体５６に取り付けられた発射払出制御装置１の外観を示す。図９は、パチンコ機における遊技機枠５１と遊技盤８５とを分解して示す。図１０は、遊技機枠５１の裏面を示す。図１１は、パチンコ機の裏面を示す。この明細書において、「前」、「後」、「裏」、「左」、「右」、「上」、「下」の方向は、図９の状態に遊技機枠５１および遊技盤８５を置き、それらを前側から見た場合に特定される方向である。「後」と「裏」とは同じ方向である。
【０００７】
図２を参照し、発射払出制御装置１、取付台２、配線構造体３の構造について説明する。発射払出制御装置１は、発射払出制御に必要な複数の電気部品の実装された板状の方形な回路基板４が、前ケース５、中ケース６、後ケース７からなる制御筐体の内部に格納される構造である。回路基板４は、発射出力調整用のボリューム軸８を有する可変抵抗器９、制御コネクタ１０、球貸用コネクタ１１、図外のマイクロコンピュータやそれら以外の複数の電気部品が、回路基板４に付設されたプリント配線のような箔状の図外の配線で、回路を構成するように接続されて実装された構造である。回路基板４の四隅には、取付孔１２が、前後方向に貫通し、かつ、中ケース６の取付部２４に外接嵌合する孔として形成される。前ケース５、後ケース７は、回路基板４より大きな外形を備え、合成樹脂により別々の部品として形成される。少なくとも、後ケース７は、外側から中の回路基板４に実装された電気部品を見えるように、無色の光透過性を有する合成樹脂により形成される。中ケース６は、回路基板４とほぼ同じ大きさの外形を備え、合成樹脂により、前ケース５や後ケース７と別の部品として形成される。
【０００８】
前ケース５は、回路基板４よりも大きい方形な板状の前ケース基板１４の周縁から周壁１５を後側に突出する。前ケース５を裏側から見た場合、周壁１５は、前ケース基板１４の周囲の方向に連続した方形な環状である。周壁１５の内側に隣接した前ケース５の四隅には、取付部１６が設けられる。取付部１６には、ねじ挿入孔１７が、取付部１６の裏面と前ケース基板１４の前面とに貫通する孔して形成される。前ケース基板１４の前面には、係合部１８が、回路基板４より小さな仮想方形の四隅に位置するような上下左右の４箇所に分散されて設けられる。係合部１８は、前ケース基板１４の前面から前側に直線的に突出する縦突起と、縦突起の前端から右側に直線的に突出する横突起とを備える。横突起と前ケース基板１４の前面との間には、取付台２の台基板２ａにおける被係合部２ｄの周りを嵌め込み得る隙間が形成される。前ケース基板１４には、係合部１８の縦突起と対応する位置に、縦突起を成形する際の成形型の要素を取り外した残渣孔１９が存在する。残渣孔１９は、前ケース５の係合部１８を作るための残渣孔である。前ケース５における周壁１５の右部からは制御コネクタ１０の回路基板４から右に突出する前面と対向する支持突起２０が後側に縦長な板状に突出する。
【０００９】
中ケース６は、回路基板４と同じ大きさで同じ形である板状の中ケース基板２２の周囲から周壁２３を後側に突出する。中ケース６を裏側から見た場合、周壁２３は、中ケース基板２２の周囲の方向に連続した方形な環状である。周壁２３における裏面の四隅には、回路基板４の取付孔１２に外接嵌合する取付部２４が、後側に向けて、回路基板４における板面間の寸法である厚さよりも大きな高さで突出する。取付部２４には、ねじ挿入孔２５が、取付部２４の裏面と中ケース基板２２の前面とに貫通する孔として形成される。中ケース基板２２におけるねじ挿入孔２５の周囲の前面には、前ケース５の取付部１６を嵌め込む前ケース受部２６が、中ケース基板２２の前面から内部に窪む窪みとして設けられる。
【００１０】
後ケース７は、板状の後ケース基板２９の周囲から周壁３０を前側に突出する。後ケース基板２９は、左右方向の寸法が回路基板４よりも小さいが、上下方向の寸法は回路基板４よりも大きい。後ケース７を前側から見た場合、周壁３０は、後ケース基板２９の周囲の方向に連続し、かつ、前ケース５の周壁１５と同じ大きさの方形な環状である。周壁３０の四隅には取付部３１が設けられる。取付部３１には、ねじ取付孔３２が、取付部３１の裏面から内部に窪む行き止まりとなった形状に形成される。周壁３０の内側には、回路基板４を嵌め込む基板受部３３が、周壁３０の前面から内部に窪む窪みとして設けられる（図４参照）。基板受部３３に収納された回路基板４の電気部品が後ケース基板２９に接触しない、後側に開口した空間部を形成するように、周壁３０は、後ケース基板２９から後側に突出する。つまり、前側に開口した空間部は、後ケース基板２９と周壁３０とによって囲まれて形成され、回路基板４に実装された電気部品を収納する部分である。
【００１１】
基板受部３３の四隅には、取付部３１のねじ取付孔３２が配置される。後ケース７の周壁３０におけるねじ挿入孔２５の周囲の前面には、中ケース６の取付部２４を嵌め込む中ケース受部３５が、周壁３０の前面から内部に窪む窪みとして設けられる。周壁３０の右部には、回路基板４の制御コネクタ１０を逃げる逃部３６が、周壁３０の前面から内部に窪む窪みとして設けられる。周壁３０の左部には、周壁３０の前後方向の中間部から後ケース基板２９の方向に行くにしたがって左側から右側に傾斜する斜面部３７を備える。斜面部３７には、回路基板４の球貸用コネクタ１１を逃げる逃孔３８が、前後方向に貫通する孔として形成される。後ケース基板２９には、調整孔３９が前後方向に貫通する孔として設けられる。調整孔３９は、回路基板４の可変抵抗器９の抵抗値を調整するボリューム軸８を操作するドライバーのような調整工具を後ケース７の後側から挿入するための孔である。調整孔３９には、筒状の保護部４０が、後ケース基板２９の前面から前側に突出した形態で連接される。
【００１２】
図２を参照し、発射払出制御装置１の組み立て方について説明する。回路基板４に実装された射払出制御に必要な複数の電気部品が後側に向けられ、回路基板４の取付孔１２が中ケース６の後側から取付部２４に嵌めこまれ、回路基板４における周縁部の前面が中ケース６における周壁２３の裏面に接触させられ、中ケース６の取付部２４の後端部が回路基板４よりも後側に突出する（図４参照）。そして、回路基板４の後側に向けられた電気部品が後ケース７の前面の開口から空間部に取り込まれるように、後ケース７が回路基板４に被せられる。これによって、可変抵抗器９のボリューム軸８の後端部が保護部４０の内部に回転操作し得るように挿入され、制御コネクタ１０が後ケース７の逃部３６に取り込まれ、球貸用コネクタ１１が後ケース７の逃孔３８から後側に突出し、回路基板４よりも後側に突出した中ケース６の取付部２４と後ケース７の中ケース受部３５とが互いに嵌まり合い、回路基板４の周縁部が後ケース７の基板受部３３に収納される（図４参照）。
【００１３】
また、前ケース５の裏面と中ケース６の前面とが互いに向かい合わされ、前ケース５と中ケース６とが互いに組み合わされることによって、中ケース６の周壁２３が前ケース５の周壁１５の内側に収納され、前ケース５の取付部１６と中ケース６の前ケース受部２６とが互いに嵌まり合う。その後、タッピングスクリューのような止ねじ４３が、前ケース５の前側から、前ケース５のねじ挿入孔１７、中ケース６のねじ挿入孔２５を順次に経由し、後ケース７のねじ取付孔３２に締結される。これによって、発射払出制御装置１が、図３に示す形態に組み立てられる。このよう発射払出制御装置１が組み立てられた場合、図３に示すように、前ケース５における周壁１５の裏面と後ケース７における周壁３０の前面とが互いに接触し、発射払出制御に必要な複数の電気部品の実装された板状の方形な回路基板４が前ケース５、中ケース６、後ケース７からなる制御筐体の内部に密封されて格納された構造となる。組み立てられた発射払出制御装置１にあっては、後ケース７の逃部３６（図２参照）から制御筐体の右側に突出した制御コネクタ１０は、前ケース５における支持突起２０の後面と後ケース７における逃部３６の前面とで前後方向から挟まれる格好となるので、図１に示すように、制御コネクタ１０と発射制御装置用コネクタ３ａとが互いに接続されたり取り外されたりする場合、制御コネクタ１０が前ケース５における支持突起２０の後面と後ケース７における逃部３６の前面とで前後に移動しないように支持されるので、制御コネクタ１０と回路基板４との接続が適切に維持されるという利点がある。
【００１４】
図２に戻り、取付台２は、発射払出制御装置１を遊技主体収納構造体５６に嵌め込みによって取り付けるための構造体であって、前ケース５よりも大きい方形な板状の台基板２ａにおける上下右の周縁から周壁２ｂを後側に突出する。台基板２ａには、配線孔２ｃ、被係合部２ｄ、横移動規制部２ｅ、ねじ挿入孔２ｆが設けられる。配線孔２ｃは、前後方向に貫通する孔であって、台基板２ａの右端部に位置する。被係合部２ｄは、台基板２ａの左右方向の中間部と台基板２ａの左端部とに位置し、後ケース７の４個の係合部１８と位置が対応する。台基板２ａの中間部における被係合部２ｄは、前後方向に貫通する方形な孔である。台基板２ａの左端部における被係合部２ｄは、台基板２ａの左端部から内部に窪むとともに前後に貫通する方形な溝である。
【００１５】
横移動規制部２ｅは、台基板２ａの左端部における被係合部２ｄの間に位置し、台基板２ａの左端部から内部に切り込まれた上下一対の溝２ｇによって、片持ち梁のように形成された弾性片の左端部から後側に突出した規制突起２ｈを備える。ねじ挿入孔２ｆは、取付台２を遊技主体収納構造体５６に取り付けるタッピングスクリューのような止ねじ４２の雄ねじ部を挿入する前後方向に貫通した孔であって、配線孔２ｃと台基板２ａの中間部における被係合部２ｄとの間、台基板２ａの中間部における被係合部２ｄと台基板２ａの左端部における被係合部２ｄとの間のそれぞれに位置する。周壁２ｂの右部には、配線構造体３を取り付けるための取付部２ｉが、周壁２ｂの左面から内部に突出する突起として上下に設けられる。取付部２ｉの左面には、位置決め突起２ｊが前後方向の中央部に位置して設けられ、ねじ取付孔２ｋが位置決め突起を境とし前後に分けられて位置に設けられる。２ｍは、図１０に示すカバー１１５の下部を回転可能に取り付けるためのヒンジピンである。
【００１６】
配線構造体３は、発射制御装置用コネクタ３ａは補強体３ｂの左面に配置され、止ねじ４４が補強体３ｂの右側から補強体３ｂの図外のねじ挿入孔を経由して装置用コネクタ３ａの取付足のねじ取付孔に締結されることによって、発射制御装置用コネクタ３ａが補強体３ｂに固定される。この発射制御装置用コネクタ３ａを固定した板状の補強体３ｂが、枠側可撓性配線１２０の左面に付設され、発射制御装置用コネクタ３ａのコネクタピンが補強体３ｂを左面から右面および枠側可撓性配線１２０の絶縁被覆を貫通して枠側可撓性配線１２０の箔形状の配線に接続された構造である。枠側可撓性配線１２０よりも上下に突出する補強体３ｂの上下端部には、位置決め孔３ｃが前後方向の中央部に位置して設けられ、ねじ挿入孔３ｄが位置決め孔３ｃを境とし前後に分けられて位置に設けられる。
【００１７】
配線構造体３は、図５に示すように、取付台２に組み付けられる。配線構造体３における補強体３ｂよりも後側に突出した枠側可撓性配線１２０の部分が、取付台２の前側から配線孔２ｃを経由して取付台２の後側に引き出され、補強体３ｂが取付台２の取付部２ｉと左右方向で対向したところで、取付台２の位置決め突起２ｊと補強体３ｂの位置決め孔３ｃとが互いに嵌め合わされ、タッピングスクリューのような止ねじ４１が補強体３ｂのねじ挿入孔３ｄから取付台２のねじ取付孔２ｋに締結される。これによって、配線構造体３が、取付台２に組み付けられる。図５において、発射制御装置用コネクタ３ａから左側における枠側可撓性配線１２０の部分が、配線孔２ｃを経由して台基板２ａの前側に折り曲げられて配置され、発射制御装置用コネクタ３ａから左側における枠側可撓性配線１２０の部分が、周壁２ｂの後側を越えて前側に折り曲げられている。
【００１８】
このように配線構造体３の組み付けられた取付台２が、図６に示すように、遊技主体収納構造体５６の裏面に取り付けられる。具体的には、取付台２の前側に配置された枠側可撓性配線１２０の部分が取付台２の前面と遊技主体収納構造体５６の裏面との間に位置するように、取付台２における台基板２ａの前面部が遊技主体収納構造体５６の裏面から後側に突出した取付部４５の裏面に重ね合わされ、図２に示す止ねじ４２が取付台２のねじ挿入孔２ｆから遊技主体収納構造体５６の取付部４５に締結されることによって、取付台２が遊技主体収納構造体５６の裏面に取り付けられる。また、取付台２の周壁２ｂを後側に越えた枠側可撓性配線１２０の部分が、取付台２における周壁２ｂの右部および遊技主体収納構造体５６の裏面から後側に突出したリブ４６を、左側から右側に乗り越えて配置される。
【００１９】
図７を参照し、発射払出制御装置１が遊技主体収納構造体５６の裏面に組み付けられた取付台２に取り付けられる場合について説明する。この場合、遊技主体収納構造体５６を有する図９に示す可動枠５３は、固定枠５２から前側に開けられているか、または、固定枠５２から取り外されている。図７のａ図に示すように、発射払出制御装置１の前面が取付台２の裏面に向かい合わされ、発射払出制御装置１の係合部１８が取付台２の被係合部２ｄに挿入される。そして、図７のｂ図に示すように、発射払出制御装置１における図２に示す前ケース５の前面である前面が、取付台２の図２に示す台基板２ａの裏面である裏面に接触させられる。これら図７のａ図からｂ図の状態になる過程において、発射払出制御装置１の前面が取付台２における横移動規制部２ｅの規制突起２ｈを前側に押し動かすのに伴い、図２に示す横移動規制部２ｅにおける片持ち梁のような弾性片が取付台２との連接部を支点として前側に撓む。
【００２０】
その後、発射払出制御装置１が左右方向の一方向として左側から右側に直線的に横移動させられることによって、図７のｃ図に示すように、発射払出制御装置１の係合部１８が取付台２の被係合部２ｄの前側から被係合部２ｄの周りにおける台基板２ａの部分に入り込む。この発射払出制御装置１の左側から右側への直線的な横移動に伴い、発射払出制御装置１の制御コネクタ１０と取付台２の発射制御装置用コネクタ３ａとが互いに接続され、発射払出制御装置１が規制突起２ｈを越え、図２に示す横移動規制部２ｅにおける弾性片が自身の弾性で元の位置へと後側に復帰し、規制突起２ｈが発射払出制御装置１における図２に示す前ケース５の周壁の左面である左面と対向して発射払出制御装置１の右側から左側への移動を規制することによって、制御コネクタ１０と発射制御装置用コネクタ３ａとの接続が確保されるという利点がある。規制突起２ｈが発射払出制御装置１における左面と対向することによって、発射払出制御装置１が図８に示すように遊技主体収納構造体５６の裏面に組み付けられた取付台２に取り付けられる。規制図７のｃ図および図８において、人が、規制突起２ｈを前側に押して発射払出制御装置１の前面よりも前側に移動されたまま、発射払出制御装置１を左右方向の一方向と逆の他方向として右側から左側に直線的に横移動させるの伴い、制御コネクタ１０と発射制御装置用コネクタ３ａとの接続が解除された後、係合部１８が図７のｂ図に示すように被係合部２ｄと前後方向で対向する。このように係合部１８と被係合部２ｄとが対向した後、人が発射払出制御装置１を後側に移動することによって、発射払出制御装置１が取付台２から取り外される。
【００２１】
この最良の形態にあって、図１に示すように、発射払出制御装置１の係合部１８が被係合部２ｄから被係合部２ｄの周り取付台２の右側部分の前側に入り込み、制御コネクタ１０と発射制御装置用コネクタ３ａとが確実に接触された場合における係合部１８と被係合部２ｄとの左右方向で前後方向に重ね合わされた寸法Ｌ１は、遊技主体収納構造体５６を有する可動枠５３が固定枠５２に閉じられて図９に示すロック機構６３で開閉不能に支持された場合における発射払出制御装置１と固定枠５２の左部との間の寸法Ｌ２よりも大きな寸法に設定されている（寸法Ｌ１＞Ｌ２）。したがって、発射払出制御装置１の係合部１８が遊技主体収納構造体５６に取り付けられた取付台２の被係合部２ｄに嵌めこまれて左側から右側に直線的に移動され、係合部１８と被係合部２ｄとが前後方向に抜けないように係合して、発射払出制御装置１が遊技主体収納構造体５６に取り付けられた後、遊技主体収納構造体５６を有する可動枠５３が固定枠５２にロック機構６３によって開閉不能に支持されることによって、発射払出制御装置１が右側から左側に直線的に移動されて固定枠５２の左側部に接触しても、係合部１８と被係合部２ｄとによる前後方向へ抜けないように係合が維持される。よって、可動枠５３が固定枠５２にロック機構６３によって開閉不能に支持された場合、図９に示す施錠装置６２に対する鍵による操作でロック機構６３を解除しない限り、可動枠５３の裏側から発射払出制御装置１を取り外すことができないので、不正防止が向上するという利点がある。発射払出制御装置１が取付台２に係合部１８と被係合部２ｄとの係合で取り付けられた場合、取付台２を遊技主体収納構造体５６に固定している止ねじ４２が発射払出制御装置１で覆い隠されているので、発射払出制御装置１が取付台２に取り付けられた状態においては、止ねじ４３を発射払出制御装置１の制御筐体から取り外すことができず、制御筐体を構成している前ケース５、中ケース６、後ケース７を不正に開くことができないという利点がある。
【００２２】
図９を参照し、遊技機枠５１の裏機構および遊技盤８５の前機構について説明する。遊技機枠５１は、固定枠５２および可動枠５３を備える。固定枠５２は、パチンコ店の図外の遊技機設置構造体に取り付けるための外枠と呼ばれるものであって、前後方向に開放された縦長な長方形の空間を囲む額縁形状である。可動枠５３は、前枠または中枠と呼ばれるものであって、固定枠５２に左側のヒンジ５４で前側横方向に片開き可能にかつ着脱可能（交換可能）に取り付けられる。可動枠５３は、前後方向に開放された縦長な長方形の空間を囲む額縁形状の可動枠本体５５と、可動枠本体５５から内部に延設された遊技主体収納構造体５６とを備える。可動枠本体５５には、パネル枠５７および球皿構造体５８が左側に設けられる上側および下側のヒンジ５９で前側横方向に片開き可能に取り付けられる。パネル枠５７は、前後方向に開放された窓６０を囲む額縁形状である。パネル枠５７の裏面には、ガラスまたは合成樹脂からなる光透過性を有する前面パネル６１が、窓６０を覆う格好で取り付けられる。
【００２３】
可動枠本体５５の右縦片には施錠装置６２と複数のロック機構６３；６４；６５およびロック解除操作体６６が設けられる。可動枠５３やパネル枠５７および球皿構造体５８が閉じられてロック機構６３−６５で開閉不能に支持された状態において、遊技店の店員が図外のキープレート（鍵）を遊技機枠５１の前側から施錠装置６２の鍵穴６７に挿入し、当該キープレートを例えば右側に９０度回転操作すると、固定枠５２と可動枠５３とのロック機構６３による支持形態が解除される。この支持形態の解除後に、店員が可動枠５３を前側に引くことによって、可動枠５３はヒンジ５４を中心として前側に片開きされる。また、上記施錠装置６２の鍵穴６７に挿入されたキープレートが例えば左側に９０度回転操作されると、可動枠５３とパネル枠５７とのロック機構６４による支持形態が解除される。
【００２４】
この支持形態の解除後に、店員がパネル枠５７を前側に引くことによって、パネル枠５７はヒンジ５９を中心として前側に片開きされる。このように、パネル枠５７が前側に開かれた状態において、店員が可動枠５３の前面に設けられたロック解除操作体６６を操作すると、可動枠５３と球皿構造体５８とのロック機構６５による支持形態が解除される。この支持形態の解除後に、店員が球皿構造体５８を前側に引くことによって、球皿構造体５８はヒンジ５９を中心として前側に片開きされる。球皿構造体５８の前面には、球収納部６８および発射操作機構６９を備える。球収納部６８は、遊技に使用する球を受ける上方に開放された形態である。球皿構造体５８の裏面には、前横樋８０から球を球収納部６８に供給する球取入口７０と、球収納部６８から発射機構７７に球を供給する球供給口７１とを備える。
【００２５】
遊技主体収納構造体５６は、前側に開放された遊技主体収納室７２と、遊技主体収納室７２の背壁に前後方向に貫通する中央開口部７３とを備える。遊技主体収納室７２の左側部には、遊技盤８５を取り付ける枠側ヒンジ７４および枠側コネクタ７５を備える。枠側ヒンジ７４は、遊技主体収納室７２の左側部に固定的に取りけられたヒンジ躯体の前側に折り曲げられた支持部から上方に突出したヒンジピンを備えた構造である。枠側コネクタ７５は、導電材かなるコネクタピンが合成樹脂のような電気絶縁材かなるコネクタボディに移動可能に装着され、コネクタピンに内蔵されたコイルスプリングのような弾性体がコネクタピンの先端部をコネクタピンから外側に押し出した、スプリングコネクタと呼ばれる構造であって、コネクタピンが遊技盤の電極から押されるのに伴い、弾性体が圧縮し、コネクタピンと電極とが互いに押し合って接触する。
【００２６】
遊技主体収納構造体５６における遊技主体収納室７２よりも下部における前面には、遊技主体棚７６を備える。遊技主体棚７６から下方に延設された遊技主体収納構造体５６における前壁の前面には、発射機構７７、発射レール７８、ファール球取入口部７９、前横樋８０を備える。発射レール７８は、球皿構造体５８の球供給口７１から供給された１個の球を受け取る。発射機構７７は、電力供給と遮断とを交互に受けることによって、球収納部６８から発射レール７８に供給された１個の球を遊技盤８５の前面の遊技領域に向けて発射する。発射レール７８は、発射機構７７から発射された球を、遊技盤８５の前面の発射通路の入口に誘導する。ファール球取入口部７９は、遊技盤８５の発射通路から落下する球を取り込む。ファール球取入口部７９に取り込まれた球は、前横樋８０を経由して球取入口７０に排出される。前横樋８０は、可動枠５３の裏部に取り付けられた図１０に示すタンク９８から払い出された球を球取入口７０に排出する。遊技主体収納室７２の右側部には、遊技主体ロック部材８１を備える。遊技主体ロック部材８１は、遊技主体収納構造体５６から前側に突出する円筒状の台座の中心にロック操作体８２を回転可能に備える。ロック操作体８２は、台座から前側に突出した操作軸の端部に固定された横長な形態である。
【００２７】
遊技盤８５の裏面には、主制御装置８６、複合制御装置８７、セット板と呼ばれる部品取付構造体８８、盤側可撓性配線８９、盤側ヒンジ９０、取付部９１を備える。部品取付構造体８８は、遊技盤８５の前面に設けられた図外の入賞部品やアウト口から遊技基板の裏側に排出された球を、下方に誘導して排出する。遊技盤８５の裏側には、遊技盤８５の前面に設けられた遊技部品の裏機構が、遊技盤８５に形成された図外の逃孔や部品取付構造体８８に形成された逃孔を経由して突出する。遊技盤８５の裏側に突出した遊技部品の裏機構は、入賞部品に入賞した球を電気的に検出した入賞信号を主制御装置８６を出力する入賞球検出器、可動部品を動かす駆動機構９２、図柄表示器９３、図柄表示器９３の制御を行う図柄制御装置９４、図柄表示部品のステップモータ９７、表示灯基板などである。
【００２８】
盤側可撓性配線８９は、遊技盤８５に設けられた電気部品と遊技機枠５１に設けられた電気部品とを接続する多数本の箔形状の電線および箔形状の電極として構成された盤側コネクタ９５が、可撓性を有する合成樹脂基板の表面に付設された構造である。盤側コネクタ９５は、枠側コネクタ７５のコネクタピンと対応する個数のラウンドと呼ばれるものであって、各盤側コネクタ９５からは上記箔形状の電線が個別に延設される。電線の表面は、レジスト膜のような電気絶縁材で被覆され、人の接触から保護される。盤側可撓性配線８９には、入賞球検出器、可動部品を動かす駆動機構９２、図柄制御装置９４、表示灯基板などである。盤側ヒンジ９０は、遊技盤８５に固定的に取りけられたヒンジ躯体の前側に折り曲げられた支持部に上下方向に貫通したヒンジ孔を備えた構造である。取付部９１は、遊技盤８５の右側部に固定される。取付部９１は、ロック挿入孔９６を備える。
【００２９】
遊技盤８５は、遊技機枠５１に、次のように装着される。少なくとも、パネル枠５７が前側に開けられた状態において、遊技盤８５の裏面が可動枠５３の前面に向けられ、遊技盤８５の左側部が遊技主体収納室７２に前側から挿入され、盤側ヒンジ９０のヒンジ孔が枠側ヒンジ７４のヒンジピンに上方から挿入されると、遊技盤８５が遊技機枠５１に盤側ヒンジ９０と枠側ヒンジ７４とを中心として回転可能に取り付けられる。その後、遊技盤８５の右側部が作業者によって遊技機枠５１の方に押されると、盤側ヒンジ９０と枠側ヒンジ７４との嵌合が中心となり、遊技盤８５が右側に回転しつつ遊技主体収納室７２に収納され、ロック操作体８２が遊技盤８５のロック挿入孔９６に後側から挿入されて前側に突出する。その状態において、作業者がロック操作体８２を例えば右方向に９０度回転操作すると、ロック操作体８２がロック挿入孔９６の周りにおける取付部９１と係合し、遊技盤８５が遊技主体収納室７２に取り付けられる。このように遊技盤８５が遊技主体収納室７２に取り付けられることによって、盤側可撓性配線８９の盤側コネクタ９５と枠側コネクタ７５のコネクタピンとが互いに接続される。
【００３０】
図１０を参照し、遊技機枠５１の裏機構について説明する。上方に開放した箱形のタンク９８は、遊技機設置構造体における補給機構の球出口から排出された球を受けるものであって、中央開口部７３より右上部に配置され、遊技主体収納構造体５６の裏面に取り付けられる。タンク９８の底部には、取込部９９が、右側で前後方向中央部に設けられる。取込部９９は、左右に横長であって、タンク９８の底部から下方に窪む窪みである。タンク９８には、球払出機構１０１が設けられる。球払出機構１０１は、ステップモータからなる払出モータ１０２と螺旋払出体１０３および払出球検出部１０４を備える。払出モータ１０２のモータケースが、タンク９８の右外側面に取り付けられる。螺旋払出体１０３は、丸棒の外周面に螺旋体を備える。螺旋体は、螺旋払出体１０３の丸棒の軸心方向に球を１個ずつ分離する間隔で、当該丸棒の外周面から径方向外側に螺旋形状に突出する。螺旋払出体１０３の丸棒の軸心が左右方向に向けられた格好で、螺旋体が取込部９９に回転可能に収納される一方、螺旋払出体１０３における螺旋体の不在な丸棒の両端部が取込部９９を囲む左右側壁を取込部９９の内外に回転可能に貫通する。そして、螺旋払出体１０３における取込部９９の左側壁の外側に突出した丸棒の端部が、払出モータ１０２のモータ軸のような出力軸に結合される。この結合よって、払出モータ１０２の出力軸が回転すると、螺旋払出体１０３も一緒に回転する。タンク９８の底部は、球が周囲から取込部９９に向けて流れる斜面を形成する。
【００３１】
したがって、タンク９８に貯蔵された球は、タンク９８の内部を矢印Ｘ１で示す方向に流れてタンク９８の取込部９９に流れ込み、払出モータ１０２による螺旋払出体１０３の回転によって螺旋体の隙間に分離されつつ取り込まれて螺旋体で取込部９９の内部を左側から右側に移動し取込部９９における底部に形成された球出口１０５から下方に落下してタンク９８から排出される。このタンク９８から排出された球は、球出口１０５の下部に連接された払出球検出部１０４に取り込まれる。払出球検出部１０４には、払出球検出器１０６を備える。払出球検出器１０６は、タンク９８から払出球検出部１０４に排出された球を検出するごとに払出球検出信号を主制御装置８６および発射払出制御装置１に出力する。払出球検出器１０６を通過した球は、払出球検出部１０４の下部に連接された払出樋１０７に取り込まれる。払出樋１０７は、中央開口部７３よりも左側に配置され、遊技主体収納構造体５６の裏面に取り付けられる。払出樋１０７の内部には、球通路が、上部から下部に行くにしたがって、前後方向に蛇行する形態に形成される。払出樋１０７の下端は、前横樋８０の右上部に連なる。よって、払出樋１０７に取り込まれた球は、払出樋１０７の内部における球通路を蛇行しながら流下して前横樋８０に排出される。
【００３２】
払出樋１０７の右側には、球抜樋１０８が併設される。払出樋１０７および球抜樋１０８は上部で互いに連接される。この連接部には、通路切換機構１０９が設けられる。通路切換機構１０９は、払出樋１０７の裏面に取り付けられた電磁ソレノイドからなる通路切換駆動源としての通路切換ソレノイド１１０、通路切換ソレノイド１１０のプランジャに連結されて払出樋１０７の球通路に配置された通路切換弁１１１とを備える。例えば、通路切換ソレノイド１１０が電力供給されていない場合、通路切換弁１１１は、払出球検出部１０４から払出樋１０７に球を流すように、払出球検出部１０４と球抜樋１０８との球通路を遮断する。そして、通路切換ソレノイド１１０が電力供給されている場合、通路切換弁１１１は、払出球検出部１０４から球抜樋１０８に球を流すように、払出球検出部１０４と払出樋１０７との球通路を遮断する。球抜樋１０８の下端は、前横樋８０の収納部裏面に球通路カバーにより形成された球抜樋１０８に連接される。球抜樋１０８の下端は、前横樋８０の収納部裏面から下方に突出する。払出樋１０７における通路切換機構１０９よりも下部の中間部には、満タン検出器１１２が設けられる。満タン検出器１１２は、図９に示す球収納部６８から前横樋８０および払出樋１０７の満タン検出器１１２まで球が満杯となると、主制御装置８６による遊技制御を停止するために、満タン検出器１１２が満杯となった球でオン動作して満杯検出信号を主制御装置８６に出力する。
【００３３】
遊技主体収納構造体５６における遊技主体棚７６より下方に延設された前壁の裏面には、電源装置１１４と発射払出制御装置１とが取り付けられる。電源装置１１４は、中央開口部７３よりも右下部に配置される。発射払出制御装置１は、中央開口部７３よりも左下部に配置される。枠側コネクタ７５よりも上部における遊技主体収納構造体５６の裏面には、外部情報端子基板１１６、払出中継端子基板１１７、電源端子基板１１８が、下から上に順に配置された形態で、取り付けられる。発射払出制御装置１よりも右側における遊技主体収納構造体５６の裏面には、球皿中継基板１１９が取り付けられる。電源装置１１４、発射払出制御装置１、枠側コネクタ７５、払出中継端子基板１１７、電源端子基板１１８、外部情報端子基板１１６、球皿中継基板１１９のそれぞれは、枠側可撓性配線１２０で、互いに接続される。枠側可撓性配線１２０は、遊技盤８５に設けられた電気部品と遊技機枠５１に設けられた電気部品とを接続する多数本の箔形状の電線が、可撓性を有する合成樹脂基板に付設された構造である。
【００３４】
枠側可撓性配線１２０には、枠側コネクタ７５、外部情報端子基板１１６、払出中継端子基板１１７、電源端子基板１１８、電源装置１１４、発射払出制御装置１、球皿中継基板１１９が接続される。発射払出制御装置１は制御コネクタと発射制御装置用コネクタとが接触されことによって枠側可撓性配線１２０に接続される。払出中継端子基板１１７には、タンク９８に設けられたタンク中継端子基板１２６が、ハーネス１２１で接続される。電源端子基板１１８には、パチンコ機のプラグ１２２を有する電源配線１２３が接続される。外部情報端子基板１１６は、遊技店の店営業を管理する図外のホールコンピュータと接続される。球皿中継基板１１９には、図９に示す球皿構造体５８からの配線が接続される。電源装置１１４の裏面右下部には、電源スイッチ１２４およびリセット釦１２５が設けられる。
【００３５】
図１１に示すように、遊技機枠５１が遊技店の遊技機設置構造体に取り付けられ、遊技盤８５が遊技機枠５１に装着され、図９に示すパネル枠５７および球皿構造体５８が閉じられて可動枠５３に固定され、電源配線１２３のプラグ１２２が遊技機設遊構造体のＡＣ２４ボルトを出力する島電源の出力端子に接続され、電源スイッチ１２４が作業者によって投入され、電源装置１１４が発射払出制御装置１、主制御装置８６、複合制御装置８７、図柄制御装置９４のそれぞれに直流電源を供給し、発射払出制御装置１、主制御装置８６、複合制御装置８７、図柄制御装置９４のそれぞれが起動し、パチンコ球と呼ばれる球が図９に示す球収納部６８タンク９８に入れられ、球切れ検出器１１３が球切れ検出信号を出力しておらず、満タン検出器１１２が満タン検出信号を出力していない状態において、遊技者が図９に示す発射操作機構６９を操作すると、発射操作機構６９が遊技者の操作量に応じた可変抵抗値を発射払出制御装置１に出力する。これによって、発射払出制御装置１が例えば１分間に１００発未満の周期と可変抵抗値に応じた発射出力とで発射機構７７を駆動し、発射機構７７が球収納部６８から供給された球を１個ずつ発射する。
【００３６】
発射機構７７から発射された球は、図９に示す遊技盤８５の発射通路を経由して遊技領域に発射される。遊技領域に発射された球は、遊技領域に設けられたセンター飾り、入賞部品、サイドランプ、風車、遊技釘、球反発体などに衝突して流れる方向を変えられながら、遊技領域を流下し、入賞部品に入賞する。入賞部品に入賞しないで遊技領域の最下部に到達した球は、アウト口から遊技基板の裏側に排出される。入賞部品に球が入賞すると、入賞球検出器が入賞部品に入賞した球を電気的に検出して入賞検出信号を配線を通して主制御装置８６に出力する。そして、主制御装置８６が入賞検出信号の種類による賞球払出信号を発射払出制御装置１に出力し、発射払出制御装置１が賞球払出信号に基づく個数の賞球としての球を払い出すように払出モータ１０２を正転方向に駆動する。これによって、タンク９８から賞球としての球が払い出される。
【００３７】
このように、球がタンク９８から払い出されるのに伴い、払出球検出器１０６が払出検出信号を配線を通して発射払出制御装置１に出力し、発射払出制御装置１が払出検出信号をタンク９８から払い出された球数としてカウントアップするかまたは賞球払出信号に基づき定められた設定賞球数をカウントダウンするかの演算処理を行う。この演算処理の結果として、発射払出制御装置１は、タンク９８が賞球払出信号による個数の球を払い出し終わる時間が経過した時点において、カウントアップした値が賞球払出信号に基づき定められた設定賞球数と一致するかまたは賞球払出信号に基づき定められた設定賞球数からカウントダウンした値が「０」となった場合、払出モータ１０２の正転方向の駆動を停止する。
【００３８】
球切れ検出器１１３がタンク９８に球の存在を検出していてオフ動作していることから、発射払出制御装置１が払出モータ１０２を正転方向に駆動するような制御中において、発射払出制御装置１には球切れ信号が入力されずかつ賞球払出信号が一定時間入力されないことが継続した場合、または、発射払出制御装置１が払出モータ１０２の正転方向の駆動中における出力トルクを監視し、この監視している出力トルクがしきい値である所定値よりも上昇した状態が一定時間継続した場合、発射払出制御装置１は球払出機構１０１に球詰まりが発生したと判断する。そして、発射払出制御装置１が払出モータ１０２を正転方向から逆転方向に駆動するように発射払出制御装置１から払出モータ１０２に供給する電力の極性を一定時間切り換える。これによって、払出モータ１０２が逆転方向に一定時間駆動する。払出モータ１０２を正転方向から逆転方向に駆動するように電力の極性を切り換える一定時間は、タンク９８における取込部９９の球が取込部９９の右側部に接触する直前までの時間であって、この時間が経験則から割り出して発射払出制御装置１に設定されている。
【００３９】
その後、発射払出制御装置１は、払出モータ１０２を逆転方向から正転方向に駆動するように発射払出制御装置１から払出モータ１０２に供給する電力の極性を元に戻すように切り換える。または、発射払出制御装置１が払出モータ１０２の逆転方向の駆動中における出力トルクを監視し、この監視している出力トルクがしきい値である所定値よりも上昇した状態が一定時間継続した場合、退避孔に球が取り込まれたと判断することによって、発射払出制御装置１が払出モータ１０２を逆転方向から正転方向に駆動するように発射払出制御装置１から払出モータ１０２に供給する電力の極性を元に戻すように切り換える。このように出力トルクを監視した場合は、発射払出制御装置１に上記経験則から割り出した一定時間に置換してしきい値を設定しておく。これによって、払出モータ１０２が正転方向に駆動する。この正逆転の切替制御は、球払出機構１０１に発生した球詰まりが解消されるまでの間、所定回数行われる。そして、所定回数行われても、球払出機構１０１に発生した球詰まりが解消されない場合、発射払出制御装置１は、正逆転の切替制御を停止するとともに、パチンコ店の店員による球詰まり解消を行わせるために、異常信号を図外の報知器に出力する。
【産業上の利用可能性】
【００４０】
発射払出制御装置１以外の遊技主体収納構造体５６の裏面に取り付けられる制御装置であれば適用できる。発射払出制御装置１を遊技主体収納構造体５６の左側に設置したが右側でもよいが、この場合、最良の形態における発射払出制御装置１を取付台２に取り付ける操作方向は左右逆となる。
【図面の簡単な説明】
【００４１】
【図１】発射払出制御装置周りの遊技機枠を示す横断面図（最良の形態）。
【図２】発射払出制御装置、取付台、配線構造体を示す分解斜視図（最良の形態）。
【図３】発射払出制御装置の組立横断面図（最良の形態）。
【図４】発射払出制御装置を止ねじで結合した部分を示す横断面図（最良の形態）。
【図５】配線構造体および取付台の組立横断面図（最良の形態）。
【図６】配線構造体と取付台および遊技主体収納構造体の組立横断面図（最良の形態）。
【図７】発射払出制御装置の遊技主体収納構造体への組立工程を示す模式図（最良の形態）。
【図８】遊技主体収納構造体に取り付けられた発射払出制御装置を示す外観斜視図（最良の形態）。
【図９】パチンコ機の遊技機枠と遊技盤とを示す分解斜視図（最良の形態）。
【図１０】遊技機枠を示す背面図（最良の形態）。
【図１１】パチンコ機を示す裏面図（最良の形態）。
【符号の説明】
【００４２】
１    発射払出制御装置
２    取付台
２ｄ  被係合部
４    回路基板
５    前ケース
６    中ケース
７    後ケース
１８  係合部
１９  残渣孔
４３  止ねじ
５１  遊技機枠
５２  固定枠
５３  可動枠
５４  ヒンジ
５５  可動枠本体
５６  遊技主体収納構造体
【図１】
2006014805.tif 000003
【図２】
2006014805.tif 000004
【図３】
2006014805.tif 000005
【図４】
2006014805.tif 000006
【図５】
2006014805.tif 000007
【図６】
2006014805.tif 000008
【図７】
2006014805.tif 000009
【図８】
2006014805.tif 000010
【図９】
2006014805.tif 000011
【図１０】
2006014805.tif 000012
【図１１】
2006014805.tif 000013